(57)【要約】【課題】  簡単な構造で、キーボード部とタブレット部との切替操作が容易にでき、使い勝手の良い電子機器を提供する。【解決手段】  入力装置５を有する第１ケース２と表示部６を有する第２ケース３とをヒンジ部４によって回動可能に連結し、入力装置５の本体部１０を第１ケース２の開口部８内に回転軸９によって表裏反転可能に取り付け、この本体部１０の一面側にキー入力部１１を設け、このキー入力部１１と反対側に位置する本体部１０の他面側にペン入力用のタブレット部１２を設けた。従って、簡単な構造で、回転軸９を中心に入力装置５の本体部１０を表裏反転させるだけで、第１ケース２の表面にキー入力部１１とタブレット部１２とのいずれか一方を露呈させることができる。このため、キー入力部１１とタブレット部１２との切替操作が簡単に且つ容易にでき、使い勝手の良いものを得ることができる。【選択図】        図３
2006285407.tif 000002
【特許請求の範囲】
【請求項１】
機器ケースと、この機器ケースに設けられて前記機器ケースの表面側に露呈する入力装置と、前記機器ケースに設けられて前記入力装置と同じ前記機器ケースの表面側に露呈する表示部とを備えた電子機器において、
前記入力装置は、前記機器ケースに設けられた開口部内に回転軸によって表裏反転可能に取り付けられた本体部を有し、この本体部の一面側にキー入力部が設けられ、このキー入力部と反対側に位置する前記本体部の他面側にペン入力用のタブレット部が設けられていることを特徴とする電子機器。
【請求項２】
前記機器ケース内と前記入力装置の前記本体部内とは、前記回転軸内を挿通する接続ケーブルによって電気的に接続されていることを特徴とする請求項１に記載の電子機器。
【請求項３】
前記機器ケースと前記入力装置の前記本体部とには、前記本体部が前記回転軸を中心に表裏反転するごとに、前記キー入力部と前記タブレット部とのいずれかの機能に切り替えるスイッチ部が設けられていることを特徴とする請求項１または２に記載の電子機器。
【請求項４】
前記機器ケースは、前記入力装置の前記本体部が前記回転軸によって表裏反転可能に取り付けられる前記開口部を有する第１ケースと、前記表示部を有する第２ケースとを備え、前記第１ケースと前記第２ケースとがヒンジ部によって回動可能に連結され、このヒンジ部を中心に前記第１、第２ケースを回動させて閉じると、前記第１ケースの前記開口部内に取り付けられた前記入力装置と前記第２ケースの前記表示部とが対面して重なり合い、前記第１、第２ケースを開くと、前記第１ケースの前記入力装置と前記第２ケースの前記表示部とが同じ表面側に露呈することを特徴とする請求項１〜３のいずれかに記載の電子機器。
【請求項５】
前記入力装置の前記本体部は、前記第１ケースのほぼ全域に設けられた前記開口部内に表裏反転可能に取り付けられ、これにより前記キー入力部と前記タブレット部とが前記第１ケースの表面のほぼ全域に対応して配置されることを特徴とする請求項４に記載の電子機器。
【請求項６】
前記入力装置の前記本体部は、前記第１ケースの一部に設けられた前記開口部内に表裏反転可能に取り付けられ、これにより前記キー入力部と前記タブレット部とが前記第１ケースの表面における一部に対応して配置されることを特徴とする請求項４に記載の電子機器。
【発明の詳細な説明】
【技術分野】
【０００１】
この発明は、電子辞書や携帯電話機、ＰＤＡ（パーソナル・デジタル・アシスタント）などの電子機器に関する。
【背景技術】
【０００２】
例えば、電子辞書などの電子機器においては、入力装置がキーボード部のみであると、漢字を入力する場合、文字キーで漢字の読みを入力し、変換キーで漢字に変換し、選択キーで変換された漢字を選択しなければ、所望の漢字を入力することができないため、入力操作に時間がかかり、また漢字の部首や画数を選択して漢字を入力する場合にも時間がかかる。このため、入力装置として、キーボード部のほかに、手書きで漢字が簡単に入力できるタブレット部を備え、使用環境や入力文字により、ユーザーが容易にキーボード部とタブレット部とのいずれかを選択して使用できるものが要望されている。
【０００３】
このような要望に応えるために、従来の電子機器においては、特許文献１に記載されているように、本体部の一側部にキーボード部を回動可能に取り付け、本体部の他側部に表示部を兼ねるペン入力用のタブレット部を回動可能に取り付け、携帯するときに本体部上にタブレット部とキーボード部とを順に重ね合わせて閉じ、使用するときに本体部に対してタブレット部とキーボード部とを適宜開くように構成した携帯情報端末がある。
【特許文献１】特開平９−２１２２５７号公報
【０００４】
このような特許文献１の電子機器では、携帯するときに、本体部上にタブレット部を重ね合わせ、このタブレット部上にキーボード部を更に重ね合わせることにより、コンパクトに携帯することができる。また、キーボード部を使用するときには、本体部に対してキーボード部のみを開くと、キーボード部の入力面とタブレット部の表示面とが露呈し、タブレット部の表示面を見ながらキーボード部をキー操作することができる。また、タブレット部でペン入力するときには、本体部上にキーボード部を重ね合わせ、このキーボード部上にタブレット部を重ね合わせてタブレット部の表示面のみを露呈させ、この露呈した表示面を入力ペンで入力操作することができる。
【発明の開示】
【発明が解決しようとする課題】
【０００５】
しかしながら、このような従来の電子機器では、本体部にキーボード部とタブレット部とをそれぞれ回動可能に連結する必要があると共に、キーボード部とタブレット部とが交互に重なり合うように厚み方向に対してもスライド可能に連結する必要があるため、本体部に対するキーボード部とタブレット部との各連結構造が複雑になり、その製作が面倒で、製造コストが高くなるという問題がある。
【０００６】
また、このような電子機器では、キーボード部でキー入力するときと、タブレット部で手書き入力するときとで、本体部に対するキーボード部とタブレット部との開閉状態がそれぞれ異なるため、キーボード部とタブレット部との開閉操作が煩雑であり、キーボード部とタブレット部との切替操作が面倒で、使い勝手が悪いという問題もある。
【０００７】
この発明が解決しようとする課題は、簡単な構造で、キーボード部とタブレット部との切替操作が容易にでき、使い勝手の良い電子機器を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図８に示すように、機器ケース（１）と、この機器ケースに設けられて前記機器ケースの表面側に露呈する入力装置（５、２５）と、前記機器ケースに設けられて前記入力装置と同じ前記機器ケースの表面側に露呈する表示部（６）とを備えた電子機器において、前記入力装置は、前記機器ケースに設けられた開口部（８、２６）内に回転軸（９）によって表裏反転可能に取り付けられた本体部（１０、２７）を有し、この本体部の一面側にキー入力部（１１、２８）が設けられ、このキー入力部と反対側に位置する前記本体部の他面側にペン入力用のタブレット部（１２、２９）が設けられていることを特徴とする電子機器である。
【００１０】
請求項２に記載の発明は、図１〜図８に示すように、前記機器ケース（１）内と前記入力装置（５、２５）の前記本体部（１０、２７）内とが、前記回転軸（９）内を挿通する接続ケーブル（１８）によって電気的に接続されていることを特徴とする請求項１に記載の電子機器である。
【００１１】
請求項３に記載の発明は、図１〜図８に示すように、前記機器ケース（１）と前記入力装置（５、２５）の前記本体部（１０、２７）とに、前記本体部が前記回転軸（９）を中心に表裏反転するごとに、前記キー入力部（１１、２８）と前記タブレット部（１２、２９）とのいずれかの機能に切り替えるスイッチ部（第１、第２スイッチ部２０、２１）が設けられていることを特徴とする請求項１または２に記載の電子機器である。
【００１２】
請求項４に記載の発明は、図１〜図８に示すように、前記機器ケース（１）が、前記入力装置（５、２５）の前記本体部（１０、２７）を前記回転軸（９）によって表裏反転可能に取り付ける前記開口部（８、２６）を有する第１ケース（２）と、前記表示部（６）を有する第２ケース（３）とを備え、前記第１ケースと前記第２ケースとがヒンジ部（４）によって回動可能に連結され、このヒンジ部を中心に前記第１、第２ケースを回動させて閉じると、前記第１ケースの前記開口部内に取り付けられた前記入力装置と前記第２ケースの前記表示部とが対面して重なり合い、前記第１、第２ケースを開くと、前記第１ケースの前記入力装置と前記第２ケースの前記表示部とが同じ表面側に露呈することを特徴とする請求項１〜３のいずれかに記載の電子機器である。
【００１３】
請求項５に記載の発明は、図１〜図６に示すように、前記入力装置（５）の前記本体部（１０）が、前記第１ケース（２）のほぼ全域に設けられた前記開口部（８）内に表裏反転可能に取り付けられ、これにより前記キー入力部（１１）と前記タブレット部（１２）とが前記第１ケースの表面のほぼ全域に対応して配置されることを特徴とする請求項４に記載の電子機器である。
【００１４】
請求項６に記載の発明は、図７および図８に示すように、前記入力装置（２５）の前記本体部（２７）が、前記第１ケース（２）の一部に設けられた前記開口部（２６）内に表裏反転可能に取り付けられ、これにより前記キー入力部（２８）と前記タブレット部（２９）とが前記第１ケースの表面における一部に対応して配置されることを特徴とする請求項４に記載の電子機器である。
【発明の効果】
【００１５】
請求項１に記載の発明によれば、入力装置と表示部とが同じ表面側に露呈して設けられる機器ケースに開口部を設け、この開口部内に入力装置の本体部を回転軸によって表裏反転可能に取り付け、この本体部の一面側にキー入力部を設け、このキー入力部と反対側に位置する本体部の他面側にペン入力用のタブレット部を設けた構成であるから、構造が簡単であるばかりか、回転軸を中心に入力装置の本体部を表裏反転させるだけで、機器ケースの表面側にキー入力部とタブレット部とのいずれか一方を露呈させることができ、このためキー入力部とタブレット部との切替操作が簡単に且つ容易にでき、使い勝手の良いものを得ることができる。
【００１６】
請求項２に記載の発明によれば、機器ケース内と入力装置の本体部内とが、回転軸内を挿通する接続ケーブルによって電気的に接続されていることにより、接続ケーブルが機器ケースと入力装置との外部に露出することなく、機器ケース内と入力装置の本体部内とを電気的に接続することができ、これによりキー入力部とタブレット部とのいずれか一方を機器ケースの表面に露出させても、この露出したキー入力部とタブレット部との一方で入力された入力情報を確実に取り込むことができる。
【００１７】
請求項３に記載の発明によれば、機器ケースと入力装置の本体部とに、本体部が回転軸を中心に表裏反転するごとに、キー入力部とタブレット部とのいずれかの機能に切り替えるスイッチ部が設けられていることにより、キー入力部とタブレット部とのいずれか一方を機器ケースの表面側に露出させると、この露出したキー入力部とタブレット部との一方を自動的に選択することができ、これにより選択されたキー入力部とタブレット部との一方による入力操作を可能にして、その入力情報を取り込むことができるので、これによっても使い勝手の良いものを得ることができる。
【００１８】
請求項４に記載の発明によれば、機器ケースが、入力装置の本体部を回転軸によって表裏反転可能に取り付ける開口部を有する第１ケースと、表示部を有する第２ケースとを備え、第１ケースと第２ケースとがヒンジ部によって回動可能に連結され、このヒンジ部を中心に第１、第２ケースを回動させて閉じると、第１ケースの開口部内に取り付けられた入力装置と第２ケースの表示部とが対面して重なり合い、第１、第２ケースを開くと、第１ケースの入力装置と第２ケースの表示部とが同じ表面側に露呈することにより、第１、第２ケースをヒンジ部を中心に回動させて閉じると、第１、第２ケースが互いに重なり合うので、コンパクトに携帯することができ、また第１、第２ケースをヒンジ部を中心に回動させて開くと、第１ケースの入力装置と第２ケースの表示部とが同じ表面側に露呈するので、表示部を見ながら入力装置を入力操作することができる。
【００１９】
請求項５に記載の発明によれば、入力装置の本体部が第１ケースのほぼ全域に設けられた開口部内に表裏反転可能に取り付けられ、これによりキー入力部とタブレット部とが第１ケースの表面のほぼ全域に対応して配置されることにより、キー入力部とタブレット部との両者の入力面積を最大限に広くすることができ、このためキー入力部に配列されるキーの数やキーの大きさを最大限に確保することができると共に、タブレット部の入力範囲をも最大限に確保することができ、これにより入力操作性の良いものを得ることができる。
【００２０】
請求項６に記載の発明によれば、入力装置の本体部が第１ケースの一部に設けられた開口部内に表裏反転可能に取り付けられ、これによりキー入力部とタブレット部とが第１ケースの表面における一部に対応して配置されることにより、キー入力部とタブレット部とを必要最小限の大きさに抑えることができると共に、この本体部を除く第１ケースの表面部分に、キー入力部とタブレット部とに共通する共通キーを多数設けることができるので、キー入力部とタブレット部とのいずれかで入力操作する場合でも、第１ケースに設けられた共通キーを操作することができ、これによっても使い勝手の良いものを得ることができる。
【発明を実施するための最良の形態】
【００２１】
（実施形態１）
以下、図１〜図６を参照して、この発明の電子機器を電子辞書に適用した実施形態１について説明する。
図１はこの発明の電子辞書を閉じた状態の斜視図、図２は図１の電子辞書を開いて入力装置のキー入力部を露呈させた状態を示した斜視図、図３は図２の入力装置を表裏反転する途中の状態を示した斜視図、図４は図２の入力装置を表裏反転させてタブレット部を露呈させた状態を示した斜視図である。
この電子辞書は、図１および図２に示すように、機器ケース１を備えている。この機器ケース１は、互いに重なり合う第１ケース２と第２ケース３とを備え、これら第１ケース２と第２ケース３とがヒンジ部４によって回動可能に連結され、このヒンジ部４を中心に第１、第２ケース２、３が相対的に回動して開閉するように構成されている。
【００２２】
第１ケース２は、図２〜図４に示すように、全体が横長のほぼ長方形の平板状に形成され、第２ケース３に対向する表面側（図２では上面側）に後述する入力装置５がその入力面を露呈させた状態で設けられた構成になっている。第２ケース３は、第１ケース２とほぼ同じ形状で同じ大きさに形成され、第１ケース２に対向する表面側（図２では上面）に表示部６がその表示面を露呈させた状態で設けられた構成になっている。この場合、表示部６は、液晶表示素子やＥＬ（エレクトロ・ルミネッセンス）表示素子などの平面型の表示素子からなり、入力装置５の入力操作に応じて辞書関連などの各種の情報を表示するように構成されている。
【００２３】
ヒンジ部４は、図１〜図４に示すように、第１ケース２の長辺部（図２では上側に位置する長辺部）における中間部分に設けられたほぼ円筒状の第１ヒンジ筒部７ａと、これに対向する第２ケース３の一方の長辺部（図２では下側に位置する長辺部）における両端部に設けられたほぼ円筒状の一対の第２ヒンジ筒部７ｂとを備え、第２ケース３の両端部の第２ヒンジ筒部７ｂの間に第１ケース２の第１ヒンジ筒部７ａを配置し、この状態で第１ヒンジ筒部７ａと第２ヒンジ筒部７ｂとを回動可能に連結した構成になっている。この場合、第１ケース２と第２ケース３とは、図示しないが、フレキシブルな接続配線基板によって両者の電子回路がヒンジ部４内を通して電気的に接続されている。
【００２４】
ところで、第１ケース２の入力装置５は、図２〜図６に示すように、第１ケース２に設けられた開口部８内に一対の回転軸９によって表裏反転可能に取り付けられる本体部１０を備え、この本体部１０の表裏面における一面側（図２では上面側）に図２に示すキー入力部１１が設けられ、このキー入力部１１と反対側に位置する本体部１０の他面側（図２では下面側）に図４に示すペン入力用のタブレット部１２が設けられた構成になっている。
【００２５】
この場合、第１ケース２は、図３に示すように、その周囲を除いて、ほぼ全域に本体部１０が配置される開口部８が表裏に貫通して設けられ、これにより全体がほぼ枠状に形成されている。また、この第１ケース２におけるヒンジ部４側に位置する表面には、図２〜図４に示すように、キー入力部１１とタブレット部１２とに共通する電源キーやファンクションキーなどの共通キー１３が設けられている。さらに、第１ケース２における手前側の側部、つまりヒンジ部４と反対側に位置する側部には、図２に示すように、入力ペン１４を収納するペン収納部１５が設けられている。
【００２６】
入力装置５の本体部１０は、図２〜図４に示すように、第１ケース２の開口部８に対応するほぼ平板状に形成されている。すなわち、この本体部１０は、その形状が第１ケース２の開口部８とほぼ同じか、それよりも少し小さい形状で、その厚みが第１ケース２の厚みとほぼ同じか、それよりも少し薄く形成され、これにより第１ケース１の開口部８内に表裏反転方向に回転可能な状態で配置されるように構成されている。
【００２７】
キー入力部１１は、共通キー１３を除く他の全てキー１６、例えば文字キー、数字キー、カーソルキー、選択キー、決定キーなどの電子辞書に必要な各種のキー１６を備え、本体部１０の一面側（図２では上面側）に設けられている。タブレット部１２は、平面型の表示素子の表面に透明なタッチパネルを配置してなり、この透明なタッチパネルを入力ペン１４で入力操作すると、その入力操作に応じた情報を表示素子で表示し、この表示された情報が透明なタッチパネルを通して見えることにより、表示された情報を見ながら手書き情報を入力するように構成されている。この場合、タブレット部１２は、２つの入力領域に分割された構成になっている。
【００２８】
一方、回転軸９は、図２〜図６に示すように、本体部１０の左右の両側部における中心部にそれぞれ突出して設けられ、第１ケース２の開口部８内における対向面に設けられた軸受部１７内にそれぞれ回転可能に挿入され、これにより本体部１０を第１ケース２の開口部８内に回転可能に支持し、この状態で本体部１０が表裏反転方向に回転するように構成されている。すなわち、この回転軸９は、図６に示すように、円筒状に形成され、その内部に接続ケーブル１８が挿通するように構成されている。
【００２９】
この場合、接続ケーブル１８は、図６に示すように、本体部１０内の回路基板１９と第１ケース２の電子回路（図示せず）とを電気的に接続するためのものであり、その一端部が本体部１０内の回路基板１９にコネクタ１８ａによって電気的に接続されている。また、入力装置５の本体部１０と第１ケース２とには、図５および図６に示すように、本体部１０が回転軸９を中心に１８０°回転して表裏反転するごとに、キー入力部１１とタブレット部１２とのいずれかの機能に切り替えると共に、本体部１０を第１ケース２に対して位置規制する第１、第２スイッチ部２０、２１が設けられている。
【００３０】
すなわち、第１、第２スイッチ部２０、２１は、図６に示すように、第１、第２接触部２０ａ、２１ａがそれぞれコイルばね２０ｂ、２１ｂに取り付けられ、このコイルばね２０ｂ、２１ｂが本体部１０内の回路基板１９に取り付けられ、この状態で第１、第２接触部２０ａ、２１ａが本体部１０のスイッチ孔１０ａから出没可能に突出し、この突出した第１、第２接触部２０ａ、２１ａが第１ケース２の開口部８の内面に設けられた凹部状の第１、第２係合接点部２０ｃ、２１ｃに係脱可能に係合するように構成されている。
【００３１】
この場合、第１、第２スイッチ部２０、２１のうち、第１スイッチ部２０は、図６に示すように、第１接触部２０ａが導電性材料で形成され、コイルばね２０ｂを介して本体部１０内の回路基板１９の電極端子１９ａに電気的に接続されている。第２スイッチ部２１は、第２接触部２１ａが絶縁性材料で形成され、コイルばね２１ｂが本体部１０内の回路基板１９に電気的に接続されていない構成になっている。また、第１ケース２の開口部８の内面に設けられた凹部状の第１、第２係合接点部２０ｃ、２１ｃは、その内面に第１接触部２０ａのみが導通する接点電極（図示せず）がそれぞれ設けられ、この接点電極がそれぞれ接続配線２２ａ、２２ｂによって第１ケース２内の電子回路（図示せず）に電気的に接続されるように構成されている。
【００３２】
これにより、第１、第２スイッチ部２０、２１は、図２に示すように、本体部１０のキー入力部１１が第１ケース２の表面に露呈したときに、図６に示すように、第１スイッチ部２０の第１接触部２０ａが第１係合接点部２０ｃに係合し、この第１係合接点部２０ｃによって本体部１０内の回路基板１９と第１ケース２内の電子回路（図示せず）とが電気的に接続され、第２スイッチ部２１の第２接触部２１ａが第２係合接点部２１ｃに係合しても、本体部１０内の回路基板１９と第１ケース２内の電子回路とが電気的に接続されないため、キー入力部１１が電気的に選択されてキー入力部１１の入力操作が可能な状態になる。
【００３３】
また、第１、第２スイッチ部２０、２１は、本体部１０が回転軸９を中心に１８０°回転して、図４に示すように、本体部１０のタブレット部１２が第１ケース２の表面に露呈したときに、図６において第１スイッチ部２０の第１接触部２０ａが第２係合接点部２１ｃに係合し、この第２係合接点部２１ｃによって本体部１０内の回路基板１９と第１ケース２内の電子回路（図示せず）とが電気的に接続され、第２スイッチ部２１の第２接触部２１ａが第１係合接点部２０ｃに係合しても、本体部１０内の回路基板１９と第１ケース２内の電子回路とが電気的に接続されないため、タブレット部１２が電気的に選択されてタブレット部１２の入力操作が可能な状態になる。
【００３４】
なお、第１ケース２の裏面（図１〜４では下面）には、図３に示すように、第１ケース２の開口部８を塞ぐ裏蓋２３が回動可能に取り付けられている。すなわち、この裏蓋２３は、本体部１０の一面（図２ではタブレット部１２側の面）を覆って保護するものであり、本体部１０を表裏反転させるときに、図３に示すように、下方に回動させて開くことにより、本体部１０の回転を可能な状態にし、図２および図４に示すように、本体部１０が表裏反転してキー入力部１１とタブレット部１２との一方が第１ケース２の表面に向いて露呈したときに、回動させて閉じることにより、キー入力部１１とタブレット部１２との他方を覆って保護するように構成されている。
【００３５】
このような電子辞書では、ヒンジ部４を中心に第１、第２ケース２、３を回動させて閉じると、第１ケース２の入力装置５と第２ケース３の表示部６とが対面した状態で、図１に示すように、第１、第２ケース２、３が互いに重なり合うので、コンパクトに携帯することができる。また、ヒンジ部４を中心に第１、第２ケース２、３を回動させて開くと、図２および図４に示すように、第１ケース２の入力装置５の入力面が露呈すると共に、第２ケース３の表示部６の表示面が露呈するので、第２ケース３の表示部６を見ながら第１ケース２の入力装置５を入力操作することができる。
【００３６】
この場合、入力装置５は、第１ケース２の開口部８内に本体部１０が一対の回転軸９によって表裏反転可能に配置され、この本体部１０の表裏面にキーボード部１１とペン入力用のタブレット部１２とが設けられているので、本体部１０を表裏反転させることにより、キーボード部１１とタブレット部１２とのいずれか一方を露呈させて入力操作することができる。すなわち、図２に示すように、入力装置５のキー入力部１１を露呈させた場合には、キー入力部１１の各キー１６を操作することにより、情報を入力することができ、また図４に示すように、入力装置５のタブレット部１２を露呈させた場合には、タブレット部１２を入力ペン１４で入力操作することにより、手書き情報を入力することができる。
【００３７】
ところで、入力装置５のキー入力部１１とタブレット部１２とを切り替えるときには、図３に示すように、まず、第１ケース２の裏蓋２３を下方に向けて回動させて開き、この状態で入力装置５の本体部１０を第１、第２スイッチ部２０、２１の各コイルばね２０ｂ、２１ｂのばね力に抗して一対の回転軸９を中心に表裏反転方向に回転させることにより、本体部１０の表裏面に設けられたキー入力部１１とタブレット部１２とのいずれか一方を第１ケース２の表面側に露呈させて配置することができる。
【００３８】
このときには、入力装置５の本体部１０が１８０°回転して、図２に示すように、第１ケース２の表面側にキー入力部１１が露呈すると、図６に示すように、第１スイッチ部２０の第１接触部０ａが第１ケース２の第１係合接点部２０ｃに係合し、この第１係合接点部２０ｃによって第１ケース２内の電子回路（図示せず）と本体部１０内の回路基板１９とが電気的に接続されて、キー入力部１１が電気的に選択されるので、キー入力部１１をキー操作すると、そのキー操作に応じた入力情報を取り込むことができる。
【００３９】
また、入力装置５の本体部１０が逆方向に１８０°回転して、図４に示すように、第１ケース２の表面側にタブレット部１２が露呈すると、図６において第１スイッチ部２０の第１接触部０ａが第１ケース２の第２係合接点部２１ｃに係合し、この第２係合接点部２１ｃによって第１ケース２内の電子回路（図示せず）と本体部１０内の回路基板１９とが電気的に接続されて、タブレット部１２が電気的に選択されるので、タブレット部１２を入力ペン１４で入力操作すると、そのペン入力された手書きの入力情報を取り込むことができる。
【００４０】
このように、この電子辞書によれば、入力装置５の本体部１０が第１ケース２の開口部８内に一対の回転軸９によって表裏反転可能に取り付けられ、この本体部１０の一面側にキー入力部１１が設けられ、このキー入力部１１と反対側に位置する本体部１０の他面側にペン入力用のタブレット部１２が設けられた構成であるから、構造が簡単であるばかりか、回転軸９を中心に入力装置５の本体部１０を表裏反転させるだけで、第１ケース２の表面にキー入力部１１とタブレット部１２とのいずれか一方を露呈させることができる。このため、キー入力操作によるキー入力部１１と手書き入力操作によるタブレット部１２とを簡単に且つ容易に切り替えることができ、これにより使い勝手の良いものを得ることができる。
【００４１】
この場合、入力装置５の本体部１０は、第１ケース２のほぼ全域に設けられた開口部８内に表裏反転可能に取り付けられ、これによりキー入力部１１とタブレット部１２とが第１ケース２の表面のほぼ全域に対応して配置されるので、キー入力部１１とタブレット部１２との両者の入力面積を最大限に広くすることができる。これにより、キー入力部１１に配列されるキー１６の数やキー１６の大きさを最大限に確保することができると共に、タブレット部１２の入力範囲をも最大限に確保することができ、このため入力操作性の良いものを得ることができる。
【００４２】
また、第１ケース２内と入力装置５の本体部１０内とが、回転軸９内を挿通する接続ケーブル１８によって電気的に接続されているので、接続ケーブル１８が第１ケース２と入力装置５との外部に露出することがなく、第１ケース２内の電子回路（図示せず）と入力装置５の本体部１０内の回路基板１９とを電気的に接続することができる。これにより、キー入力部１１とタブレット部１２とのいずれか一方を第１ケース２の表面に露出させても、この露出したキー入力部１１とタブレット部１２との一方で入力された入力情報を確実に取り込むことができる。
【００４３】
この場合、第１ケース２と本体部１０とには、本体部１０が回転軸９を中心に表裏反転するごとに、キー入力部１１とタブレット部１２とのいずれかの機能に切り替える第１、第２スイッチ部２０、２１が設けられているので、キー入力部１１とタブレット部１２との一方を第１ケース２の表面に露出させると、この露出したキー入力部１１とタブレット部１２との一方を自動的に選択することができ、これにより選択されたキー入力部１１とタブレット部１２との一方による入力操作を可能にして、その入力情報を取り込むことができるので、これによっても使い勝手の良いものを得ることができる。
【００４４】
（実施形態２）
次に、図７および図８を参照して、この発明の電子機器を電子辞書に適用した実施形態２について説明する。なお、図１〜図６に示された実施形態１と同一部分には同一符号を付して説明する。
この電子辞書は、第１ケース２に設けられた入力装置２５の大きさが実施形態１と異なる構成で、これ以外は実施形態１とほぼ同じ構成になっている。すなわち、この入力装置２５は、第１ケース２のほぼ半分程度の大きさに形成され、第１ケース２の手前側のほぼ半分の領域に設けられた開口部２６内に配置されるように構成されている。
【００４５】
この場合にも、入力装置２５は、第１ケース２の開口部２６内に一対の回転軸９によって表裏反転可能に取り付けられる本体部２７を備え、この本体部２７の表裏面における一面側（図７では上面側）にキー入力部２８が設けられ、このキー入力部２８と反対側に位置する本体部２７の他面側（図７では下面側）に図８に示すペン入力用のタブレット部２９が設けられた構成になっている。また、第１ケース２の裏面には、図３に示したように、その手前側のほぼ半分の領域に設けられた開口部２６を塞ぐ裏蓋２３が回動可能に取り付けられている。
【００４６】
この第１ケース２の表面における開口部２６を除くヒンジ部４側に位置するほぼ半分の領域には、図７および図８に示すように、キー入力部２８とタブレット部２９とに共通の電源キーやファンクションキー、数字キーなどの共通キー１３が実施形態１よりも数多く設けられている。一方、入力装置２５のキー入力部２８には、図７に示すように、文字キーなどの必要最小限のキー３０のみが設けられている。また、タブレット部２９は、図８に示すように、入力ペン１４で入力操作が可能な大きさの１つの入力領域を有するように構成されている。
【００４７】
このような電子辞書においても、実施形態１と同様、ヒンジ部４を中心に第１、第２ケース２、３を回動させて閉じると、第１ケース２の入力装置２５と第２ケース３の表示部６とが対面した状態で、図１に示したように、第１、第２ケース２、３が互いに重なり合うので、コンパクトに携帯することができる。また、ヒンジ部４を中心に第１、第２ケース２、３を回動させて開くと、図７および図８に示すように、第１ケース２の入力装置２５の入力面が露呈すると共に、第２ケース３の表示部６の表示面が露呈するので、表示部６を見ながら入力装置２５を入力操作することができる。
【００４８】
すなわち、図７に示すように、入力装置２５のキー入力部２８が露呈した場合には、キー入力部２８のキー３０および第１ケース２の共通キー１３を操作することにより、情報を入力することができ、また図８に示すように、入力装置２５のタブレット部２９が露呈した場合には、タブレット部２９を入力ペン１４で入力操作することにより、手書き情報を入力することができる。この場合にも、入力装置２５のキー入力部２８とタブレット部２９とを切り替えるときには、第１ケース２の裏蓋２３を開き、この状態で入力装置２５の本体部２７を回転軸９を中心に表裏反転方向に回転させることにより、本体部２７の表裏面に設けられたキー入力部２８とタブレット部２９とのいずれか一方を第１ケース２の表面側に露呈させることができる。
【００４９】
また、この場合にも、入力装置２５の本体部２７が１８０°回転して、図７に示すように、第１ケース２の表面にキー入力部２８が露呈すると、第１スイッチ部２０が第１係合接点部２０ｃに係合し、第１ケース２内の電子回路と本体部１０内の回路基板１９とが電気的に接続されて、キー入力部２８が電気的に選択されるので、キー入力部２８のキー操作による入力情報を取り込むことができる。また、入力装置２５の本体部２７が逆方向に１８０°回転して、図８に示すように、第１ケース２の表面にタブレット部２９が露呈すると、第１スイッチ部２０の第１接触部２０ａが第２係合接点部２１ｃに係合し、第１ケース２内の電子回路と本体部１０内の回路基板１９とが電気的に接続されて、タブレット部２９が電気的に選択されるので、タブレット部２９でペン入力された手書きの入力情報を取り込むことができる。
【００５０】
このように、この電子辞書では、入力装置２５の本体部２７が第１ケース２内の一部に設けられた開口部２６内に表裏反転可能に取り付けられ、これによりキー入力部２８とタブレット部２９とが第１ケース２の表面における一部に対応して配置されるので、キー入力部２８とタブレット部２９とを必要最小限の大きさに抑えることができると共に、第１ケース２の表面における本体部２７を除く部分に、キー入力部２８とタブレット部２９とに共通する共通キー１３を多数設けることができ、これによりキー入力部２８とタブレット部２９とのいずれかで入力操作する場合でも、多くの共通キー１３を操作することができるので、これによっても使い勝手の良いものを得ることができる。
【００５１】
なお、上記実施形態１、２では、入力装置５、２５の本体部１０、２７における左右に位置する両側に回転軸９がそれぞれ設けられ、これら回転軸９を中心に本体部１０、２７が表裏反転方向に回転するように構成した場合について述べたが、必ずしも本体部１０、２７の左右両側に回転軸９を設ける必要はなく、例えば本体部１０、２７の上下に位置する両側に回転軸９をそれぞれ設け、これら回転軸９を中心に本体部１０、２７が表裏反転方向に回転するように構成しても良い。このように構成しても、実施形態１、２と同様の作用効果がある。
【００５２】
また、上記実施形態１、２では、機器ケース１が、第１、第２ケース２、３を備え、この第１、第２ケース２、３をヒンジ部４によって開閉可能に連結し、第１ケース２に入力装置５、２５を設け、第２ケース３に表示部６を設けた折り畳式の構成になっている場合について述べたが、これに限らず、例えば機器ケースを１つのケースで構成し、その表面側に入力装置５、２５と表示部６とを平面的に並べて設けた構成でも良い。この場合には、機器ケースに入力装置５、２５が配置する開口部を形成し、この開口部内に入力装置５、２５の本体部１０、２７を一対の回転軸９で表裏反転方向に回転するように取り付ければ良い。このような構成でも、実施形態１、２と同様の作用効果がある。
【００５３】
なおまた、上記実施形態１、２では、電子機器として、電子辞書に適用した場合について述べたが、これに限らず、携帯電話機や、携帯情報端末機であるＰＤＡ（パーソナル・デジタル・アシスタント）などの電子機器に広く適用することができる。
【図面の簡単な説明】
【００５４】
【図１】この発明を適用した電子辞書を閉じた状態の斜視図である。（実施形態１）
【図２】図１の電子辞書を開いてキー入力部を露呈させた状態の斜視図である。
【図３】図２の状態で入力装置の本体部を表裏反転させる途中の状態を示した斜視図である。
【図４】図２の入力装置を表裏反転させてタブレット部を露呈させた状態の斜視図である。
【図５】図２の第１ケースと入力装置との各要部を示した分解斜視図である。
【図６】図２のＡ−Ａ矢視における要部の拡大断面図である。
【図７】この発明を適用した電子辞書を開いてキー入力部を露呈させた状態の斜視図である。（実施形態２）
【図８】図７の入力装置を表裏反転させてタブレット部を露呈させた状態の斜視図である。
【符号の説明】
【００５５】
１  機器ケース
２  第１ケース
３  第２ケース
４  ヒンジ部
５、２５  入力装置
６  表示部
８、２６  開口部
９  回転軸
１０、２７  本体部
１１、２８  キー入力部
１２、２９  タブレット部
１４  入力ペン
１６、３０  キー
１８  接続ケーブル
２０  第１スイッチ部
２１  第２スイッチ部
【図１】
2006285407.tif 000003
【図２】
2006285407.tif 000004
【図３】
2006285407.tif 000005
【図４】
2006285407.tif 000006
【図５】
2006285407.tif 000007
【図６】
2006285407.tif 000008
【図７】
2006285407.tif 000009
【図８】
2006285407.tif 000010